(57)【要約】      （修正有）【課題】表示する画像の切り替え基準を設定できるようにする。【解決手段】情報処理装置１は、円筒形状の本体１０の外周面に沿って表示面１１を配置した構成を有し、ユーザの操作に伴う右方向への画像の移動において、特定の部位Ａ１に当たる文字「Ｑ」が境界Ｌｒｅｆを右方向に越えていない間、表示の単位であるページ２が表示面１１に沿って操作の方向に移動し、表示の位置が１周すると、特定の部位Ａ１に当たる文字Ｑが境界Ｌｒｅｆを右方向に越えると、ページ２から次のページ３に切り替わる表示が実現されるように、表示上の位置が固定されていない画像の全部に対するユーザの移動の指示が予め定めた切り替え基準を満たすとき、画像の全部を別の画像に切り替える切替手段と、切り替え基準の設定を受け付ける受付手段と、を有する。【選択図】図８
2019197192.tif 000002
【特許請求の範囲】
【請求項１】
表示上の位置が固定されていない画像の全部に対するユーザの移動の指示が予め定めた切り替え基準を満たすとき、当該画像の全部を別の画像に切り替える切替手段と、
前記切り替え基準の設定を受け付ける受付手段と、
を有する情報処理装置。
【請求項２】
前記切り替え基準は、表示面に表示されている特定の部位が当該表示面上に設定された境界を予め定めた方向から越えることである、請求項１に記載の情報処理装置。
【請求項３】
前記表示面上の特定の部位及び前記予め定めた方向は、設定された１つ又は複数の前記境界を基準に定められる、請求項２に記載の情報処理装置。
【請求項４】
前記表示面上に前記境界が複数設定された場合に、一の境界の部位に表示されていた画像が他の境界まで移動すると、当該表示面に表示されている画像の全部が別の画像に切り替えられる、請求項２に記載の情報処理装置。
【請求項５】
前記表示面上に前記境界が複数設定された場合、一対の境界で挟まれた領域に表示されている画像の全部を対象に、循環的な移動と画像の切り替えとが管理される、請求項２に記載の情報処理装置。
【請求項６】
前記表示面の複数の領域ごとに前記境界が設定される、請求項２に記載の情報処理装置。
【請求項７】
複数の領域ごとに設けられる前記境界の位置は、複数の領域ごとに異なる、請求項６に記載の情報処理装置。
【請求項８】
前記境界は、切り替えの対象とする画像毎に設定される、請求項２に記載の情報処理装置。
【請求項９】
前記表示面に一対の端部が存在する場合、一の端部に表示されていた部位が他の端部まで移動することを条件に、当該表示面に表示されている現在の画像の全部が別の画像に切り替えられる、請求項１に記載の情報処理装置。
【請求項１０】
表示上の位置が固定されていない画像の全部に対するユーザの移動の指示が予め定めた切り替え基準を満たすとき、当該画像の全部を別の画像に切り替える切替手段と、
前記切り替え基準の設定を受け付ける受付手段と、
表示面に画像を表示する表示手段と、
を有する情報処理システム。
【請求項１１】
コンピュータを、
表示上の位置が固定されていない画像の全部に対するユーザの移動の指示が予め定めた切り替え基準を満たすとき、当該画像の全部を別の画像に切り替える切替手段と、
前記切り替え基準の設定を受け付ける受付手段、
として機能させるプログラム。
【発明の詳細な説明】
【技術分野】
【０００１】
本発明は、情報処理装置、情報処理システム及びプログラムに関する。
【背景技術】
【０００２】
現在、表示に用いられる領域（表示領域）を越える寸法の情報を表示する技術として電光掲示板がある。電光掲示板は、表示領域を越える長さの文字列や図形が一方向にスクロールすることで情報の全体を表示する。
また、いわゆるオフィスソフトでは、スライダーに対する操作に伴って、表示領域に表示される内容が連続的に切り替わる。
【先行技術文献】
【特許文献】
【０００３】
【特許文献１】特開２００８−３３６９５号公報
【発明の概要】
【発明が解決しようとする課題】
【０００４】
電光掲示板に表示される情報の切り替えは、予め定めた周期で実行される。
【０００５】
本発明は、表示する画像の切り替え基準を設定できるようにすることを目的とする。
【課題を解決するための手段】
【０００６】
請求項１に記載の発明は、表示上の位置が固定されていない画像の全部に対するユーザの移動の指示が予め定めた切り替え基準を満たすとき、当該画像の全部を別の画像に切り替える切替手段と、前記切り替え基準の設定を受け付ける受付手段と、を有する情報処理装置である。
請求項２に記載の発明は、前記切り替え基準は、表示面に表示されている特定の部位が当該表示面上に設定された境界を予め定めた方向から越えることである、請求項１に記載の情報処理装置である。
請求項３に記載の発明は、前記表示面上の特定の部位及び前記予め定めた方向は、設定された１つ又は複数の前記境界を基準に定められる、請求項２に記載の情報処理装置である。
請求項４に記載の発明は、前記表示面上に前記境界が複数設定された場合に、一の境界の部位に表示されていた画像が他の境界まで移動すると、当該表示面に表示されている画像の全部が別の画像に切り替えられる、請求項２に記載の情報処理装置である。
請求項５に記載の発明は、前記表示面上に前記境界が複数設定された場合、一対の境界で挟まれた領域に表示されている画像の全部を対象に、循環的な移動と画像の切り替えとが管理される、請求項２に記載の情報処理装置である。
請求項６に記載の発明は、前記表示面の複数の領域ごとに前記境界が設定される、請求項２に記載の情報処理装置である。
請求項７に記載の発明は、複数の領域ごとに設けられる前記境界の位置は、複数の領域ごとに異なる、請求項６に記載の情報処理装置である。
請求項８に記載の発明は、前記境界は、切り替えの対象とする画像毎に設定される、請求項２に記載の情報処理装置である。
請求項９に記載の発明は、前記表示面に一対の端部が存在する場合、一の端部に表示されていた部位が他の端部まで移動することを条件に、当該表示面に表示されている現在の画像の全部が別の画像に切り替えられる、請求項１に記載の情報処理装置である。
請求項１０に記載の発明は、表示上の位置が固定されていない画像の全部に対するユーザの移動の指示が予め定めた切り替え基準を満たすとき、当該画像の全部を別の画像に切り替える切替手段と、前記切り替え基準の設定を受け付ける受付手段と、表示面に画像を表示する表示手段と、を有する情報処理システムである。
請求項１１に記載の発明は、コンピュータを、表示上の位置が固定されていない画像の全部に対するユーザの移動の指示が予め定めた切り替え基準を満たすとき、当該画像の全部を別の画像に切り替える切替手段と、前記切り替え基準の設定を受け付ける受付手段、として機能させるプログラムである。
【発明の効果】
【０００７】
請求項１記載の発明によれば、表示する画像の切り替え基準を設定できる。
請求項２記載の発明によれば、画像の切り替えについての予測性を高めることができる。
請求項３記載の発明によれば、切り替え基準の設定の作業を効率化できる。
請求項４記載の発明によれば、切り替え基準の設定の作業を効率化できる。
請求項５記載の発明によれば、画像の切り替えを管理する領域を自由に設定できる。
請求項６記載の発明によれば、表示面上の領域毎に画像の切り替えを管理する領域を設定できる。
請求項７記載の発明によれば、表示面上の領域毎に画像の切り替えを管理する領域を設定できる。
請求項８記載の発明によれば、表示する画像毎に画像の切り替え基準を設定できる。
請求項９記載の発明によれば、物理的な端部により画像の切り替え基準を設定できる。
請求項１０記載の発明によれば、表示する画像の切り替え基準を設定できる。
請求項１１記載の発明によれば、表示する画像の切り替え基準を設定できる。
【図面の簡単な説明】
【０００８】
【図１】実施の形態１に係る情報処理装置の一例を説明する図である。（Ａ）は情報処理装置の使用例を示し、（Ｂ）は情報処理装置を側方から見た図である。
【図２】実施の形態１に係る情報処理装置のハードウェア構成の一例を説明する図である。
【図３】プログラムの実行を通じてＣＰＵが実現する機能構成の一例を説明する図である。
【図４】ユーザによる基準の位置（境界）の設定の例を説明する図である。
【図５】境界と特定の部位との関係を説明する図である。（Ａ）は右方向（反時計回り）への移動に対して設定される特定の部位の例を示し、（Ｂ）は左方向（時計回り）への移動に対して設定される特定の部位の例を示す。
【図６】実施の形態１で使用される切り替え基準設定部によって設定される切り替え基準の一例を説明する図表である。
【図７】表示の単位を説明する図である。（Ａ）は情報処理装置に対するユーザの操作を示し、（Ｂ）は表示の単位としての画像の例である。
【図８】実施の形態１における画像の表示の位置の移動の例を説明する図である。（Ａ）は情報処理装置に対するユーザの操作を示し、（Ｂ）は移動の操作に伴う画像の表示の変遷を示す。
【図９】実施の形態１における画像の表示の位置の移動の他の例を説明する図である。（Ａ）は情報処理装置に対するユーザの操作を示し、（Ｂ）は移動の操作に伴う画像の表示の変遷を示す。
【図１０】境界の設定の例を示す図である。（Ａ）は表示面に対して境界を斜め方向に設定する例を示し、（Ｂ）は表示面上に境界を曲線により設定する例を示し、（Ｃ）は表示面上にジグザグ状に設定する例を示す。
【図１１】実施の形態２における画像の表示の位置の移動の例を説明する図である。（Ａ）は情報処理装置に対するユーザの操作を示し、（Ｂ）は移動の操作に伴う画像の表示の変遷を示す。
【図１２】実施の形態２で使用される切り替え基準設定部によって設定される切り替え基準の一例を説明する図表である。
【図１３】実施の形態２における画像の表示の位置の移動の他の例を説明する図である。（Ａ）は情報処理装置に対するユーザの操作を示し、（Ｂ）は移動の操作に伴う画像の表示の変遷を示す。
【図１４】実施の形態３における画像の表示の位置の移動の例を説明する図である。（Ａ）は情報処理装置に対するユーザの操作を示し、（Ｂ）は移動の操作に伴う画像の表示の変遷を示す。
【図１５】実施の形態３で使用される切り替え基準設定部によって設定される切り替え基準の一例を説明する図表である。
【図１６】実施の形態３における画像の表示の位置の移動の他の例を説明する図である。（Ａ）は情報処理装置に対するユーザの操作を示し、（Ｂ）は移動の操作に伴う画像の表示の変遷を示す。
【図１７】実施の形態４における画像の表示の位置の移動の例を説明する図である。（Ａ）〜（Ｃ）はいずれも移動の操作に伴う画像の表示の変遷を示す。
【図１８】実施の形態５に係る境界Ｌｒｅｆの設定例を説明する図である。
【図１９】実施の形態５に係る境界の他の設定例を説明する図である。
【図２０】実施の形態５に係る境界の他の設定例を説明する図である。
【図２１】情報処理装置の本体が直方体形状であり、その外周面に４つの表示面が環状に配置されている例を表している。（Ａ）は情報処理装置を斜め上方から見た外観であり、（Ｂ）は情報処理装置を上方から見た外観である。
【図２２】情報処理装置の本体が球形状であり、その表面に表示面が配置されている例を表している。
【図２３】球面形状の表示面を上半球側の部分表示面と下半球側の部分表示面とに分割する例を表している。
【図２４】画像の切り替えに伴って表示中の画像が徐々にフェードアウトし（薄くなり）、切り替え先の画像が徐々にフェードインする（濃くなる）例を説明する図である。
【図２５】空気中に空中画像を形成する情報処理装置の概略構成を説明する図である。（Ａ）はユーザに最も近い位置の空中画像に対して画像の表示の位置の移動を指示する操作の様子を示し、（Ｂ）は画像の切り替えが実行された後の画像の表示を示す。
【図２６】表示デバイスから出力される光を専用の光学プレートを透過させることで空中画像を形成する空中画像形成装置の原理図である。（Ａ）は各部材と空中画像との位置関係を示し、（Ｂ）は光学プレートの断面構造の一部を示す。
【図２７】空中画像として３次元像を形成する空中画像形成装置の原理図である。
【図２８】２面コーナーリフレクタを構成する微小な四角い穴を平面内に等間隔に配列した構造のマイクロミラーアレイを用いて空中画像を形成する空中画像形成装置の原理図である。（Ａ）は各部材と空中画像との位置関係を示し、（Ｂ）はマイクロミラーアレイの一部分を拡大した図である。
【図２９】ビームスプリッタと再帰反射シートを使用する空中画像形成装置の原理図である。
【図３０】空中画像をプラズマ発光体の集合として形成する空中画像形成装置の原理図である。
【図３１】実施の形態における印刷領域の設定の手法を説明する図である。（Ａ）は円筒型の表示面に対する印刷領域の設定例を示し、（Ｂ）は印刷結果を示す。
【図３２】プログラムの実行を通じてＣＰＵが実現する機能の一例を説明する図である。
【図３３】１つの端部が指定され、かつ、印刷の向きが左方向（時計回り）の場合を説明する図である。（Ａ）はユーザの操作を示し、（Ｂ）は印刷結果を示す。
【図３４】２つの端部が指定され、かつ、印刷の向きが右方向（反時計回り）の場合を説明する図である。（Ａ）はユーザの操作を示し、（Ｂ）は印刷結果を示す。
【図３５】印刷の向きが表示されている画像の内容に応じて定まる例を示す図である。（Ａ）は文字が縦書きの場合の印刷の向きを示し、（Ｂ）は文字が横書きの場合の印刷の向きを示す。
【図３６】表示面の物理的な形状から表示上の領域の区別が可能な場合の印刷例を説明する図である。（Ａ）は印刷の単位として管理される領域の例を示し、（Ｂ）は全ての領域が印刷の対象として選択された場合の印刷結果を示す。
【図３７】表示面の物理的な形状から表示上の領域の区別が可能な場合の他の印刷例を説明する図である。（Ａ）は印刷の単位として管理される領域の例を示し、（Ｂ）は１つの領域が印刷の対象として選択された場合の印刷結果を示す。
【発明を実施するための形態】
【０００９】
以下、図面を参照して、本発明の実施の形態を説明する。
【００１０】
＜実施の形態１＞
図１は、実施の形態１に係る情報処理装置１の一例を説明する図である。（Ａ）は情報処理装置１の使用例を示し、（Ｂ）は情報処理装置１を側方から見た図である。
図１に示す情報処理装置１は、ユーザの腕５に装着されている。
本実施の形態の場合、情報処理装置１は、円筒形状の本体１０の外周面に沿って表示面１１を配置した構成を有している。図１における表示面１１は、本体１０の全周に沿って設けられている。すなわち、表示面１１は、３６０°型の表示手段の一例である。換言すると、表示面１１は曲面形状を有している。
【００１１】
本実施の形態における表示面１１は、物理的にも３６０°連続しているが、３６０°の全てが表示面１１である場合と同等の使い方が可能であれば、表示面１１は複数の表示デバイスの集合体として構成されていてもよい。
本実施の形態における表示面１１の最大表示領域は、円周方向については全周であり、幅方向については全幅である。すなわち、ユーザが視認可能な表示面１１の全域が、情報の表示に用いられる領域の最大範囲となる。
以下の説明では、特に言及のない限り、表示領域は、表示面１１の全域と一致する。
【００１２】
本実施の形態の場合、表示面１１は、有機ＥＬ（Electro Luminescence）パネル、液晶パネル等で構成される。図１の場合、表示面１１には、天候、時間、心拍数、歩数等の情報、メール、電話等の機能ボタンが配置されている。
なお、表示面１１には、静止画のみならず、動画像も表示される。
表示面１１には、本体１０に内蔵されている各種のセンサの出力値が表示されてもよいし、通信機能を通じて外部から受信した情報が表示されてもよいし、不図示の記憶デバイスから読み出された情報が表示されてもよい。
【００１３】
本実施の形態の場合、本体１０は、円筒形状に成形されている。もっとも、円周上の一部で本体１０が分断され、分断された端部を開くことで本体１０を腕５に取り付けたり、取り外したりできるように形成されていてもよい。また、端部には、不図示の留め具その他の結合手段が配置されていてもよい。また、本体１０は、柔軟性を有する素材で形成された帯状の部材でもよい。
また、本実施の形態の場合、表示面１１は、腕５に装着した状態で３６０°連続するように本体１０に取り付けられているが、腕５に装着した状態で円周方向について表示面１１が存在しない隙間が設けられてもよい。例えば表示面１１は、円周方向について３５０°でもよいし、３００°でもよいし、１８０°でもよいし、１２０°でもよい。
【００１４】
図２は、実施の形態１に係る情報処理装置１のハードウェア構成の一例を説明する図である。
円筒形状の本体１０には、プログラム（ファームウェアを含む）の実行を通じて装置全体を制御するＣＰＵ（Central Processing Unit）２１と、ＢＩＯＳ（Basic Input Output System）やファームウェア等のプログラムを記憶するＲＯＭ２２と、プログラムの実行領域として使用されるＲＡＭ（Random Access Memory）２３とが設けられている。
ここで、ＣＰＵ２１、ＲＯＭ２２、ＲＡＭ２３はコンピュータとして機能し、各種の情報処理を実行する。なお、ＲＯＭ２２は、不揮発性の半導体メモリによって構成される。
【００１５】
この他、本体１０は、表示面１１（図１参照）を構成するタッチパネル２４、測定の対象とする物理量を電気信号として出力するセンサ２５、画像を撮像するカメラ２６、光源としてのＬＥＤ（Light Emitting Diode）２７、外部機器との通信に使用される通信モジュール２８等を有している。これらは、バス２９を通じて接続されている。
タッチパネル２４には、ユーザが操作する表示面１１上の位置を検知する操作検知デバイスと、情報を表示する表示デバイスとが設けられている。表示デバイスには、例えば有機ＥＬ（Electro Luminescence）パネルや液晶パネルが用いられる。
【００１６】
センサ２５には、例えば温度センサ、気温センサ、体温センサ、脈拍センサ、加速度センサ、ジャイロセンサ、磁気センサ、ＧＰＳ（Global Positioning System）センサ、環境光センサ、近接センサ、指紋センサがある。加速度センサの出力は、例えば歩数の計測に用いられる。なお、センサ２５は、例示したセンサデバイスの全てを用いる必要はなく、一部でもよい。
通信モジュール２８は、例えばＷｉＦｉ（登録商標）規格に準拠する無線信号を送受信するＷｉＦｉ（Wireless Fidelity）モジュール、近距離無線通信規格の１つであるブルートゥース（登録商標）規格に準拠する無線信号を送受信するBluetoothモジュールを含む。
【００１７】
図３は、プログラムの実行を通じてＣＰＵ２１が実現する機能構成の一例を説明する図である。
ただし、図３に示す機能構成は、ユーザによる移動の指示に伴って、表示面１１（図１参照）に表示されている画像を、その同一性を保ったまま画像全体の移動を受け付ける場合における画像の切り替え機能に限って示している。
ここで、表示されている画像の同一性が保たれる状態とは、表示面１１内における画像の表示の位置が変化しても、表示されている画像の内容は移動がない場合と同じになる状態をいう。
【００１８】
なお、表示面１１上における表示の位置が固定されている画像は除かれる。換言すると、表示上の位置が固定されていない画像の全部が表示面１１内における移動の対象となる。例えばスマートフォンやコンピュータのディスプレイの縁部に沿って配置されるアイコンや時刻の表示は、表示の位置が固定されている画像の一例である。なお、これらアイコンや時刻の表示の位置の変更は、同一性が保たれないので、本実施の形態にいう移動とは異なる。
【００１９】
例えば表示面１１に表示されている画像が静止画像の場合であれば、表示されている画像を構成する要素に過不足が生じない状態をいう。ここで、過不足が生じる状態とは、移動の前には存在しなかった要素が加わる状態や移動の前には存在した要素が無くなる状態をいう。
例えば表示面１１に表示されている画像の一部が動画像の場合であれば、動画像の部分を除いて、表示されている画像を構成する要素に過不足が生じない状態をいう。
例えば表示面１１に表示されている画像の全部が動画像の場合であれば、画像の表示の位置が変化しても、表示されている画像の内容は移動がない場合と同じになる状態をいう。
【００２０】
なお、表示されている画像の同一性が保たれる状態には、表示面１１のうちの特定の領域で画像が拡大されて表示される等のレイアウトの変更を伴う場合を含む。
また、本実施の形態の場合、同一性を保ったまま移動される画像は、例えば表示面１１（図１参照）の全域に表示されている画像に限らず、表示面１１の一部の領域に表示されている画像でもよい。表示面１１の一部の領域は、ユーザが指定する場合もあれば、事前に設定されている場合もあれば、物理的に定まる場合もある。
換言すると、表示されている画像の同一性が保たれる移動とは、予め定めた領域（表示面１１の全部だけでなく一部も含む）内で、当該領域に表示されている画像の全部が指示された移動の方向に循環的に又は回転するように表示の位置を変えることをいう。回転は、循環的な移動の一形態である。
【００２１】
循環的とは、例えば表示面１１のうち端部がある方向への移動が指示された場合（図１であれば、円筒の開口部の方向への移動の場合）に、一方の端部に位置する画像が表示面１１の外側に消えるように移動すると同時に他方の端部から出現する表示の形態をいう。
従って、電光掲示板のように、表示範囲を超える長さの文字列等がスクロール表示される例は、表示されている画像の同一性が保たれる移動には該当しない。
【００２２】
また、オフィスソフトの文書作成ソフトの場合には、スライダーを操作した方向から新たな情報が画面内に出現され、反対側の端部に表示されていた情報は画面内から消えるため、表示されている画像の同一性が保たれる移動には該当しない。
本実施の形態において循環的な表示の機能が設けられているのは、円筒形状の表示面１１ではユーザから物理的に見えない領域が存在するためである。ユーザは、円筒形状の表示面１１に表示される画像の位置を円周方向に回転させることで、表示中の画像の全てを目視することができる。
本体１０（図１参照）を腕５（図１参照）の周りで回転させてもよいが、本体１０を腕５に対して回転できない場合もある。従って、本実施の形態のように、表示の位置だけを回転できる機能は、画像の全体を目視する上で有用である。
【００２３】
図３に示すＣＰＵ２１は、同一性を保ったまま移動される画像の全部を別の画像に切り替えるための基準を設定する切り替え基準設定部３１と、同一性を保ったまま移動される画像（すなわち表示の単位）を管理する表示単位管理部３２と、ユーザによる移動の操作を受け付ける移動操作受付部３３と、ユーザによる移動の操作の方向を受け付ける移動方向受付部３４と、表示の単位である画像の切り替えを判定する表示単位切替判定部３５と、判定の結果に基づいて表示の切り替えを実行する表示切替制御部３６として機能する。
【００２４】
本実施の形態の場合、表示の単位は、表示面１１の最大表示領域に表示される画像であり、前述したように画像の切り替えの単位でもある。
なお、表示面１１の最大表示領域のうちの一部が操作ボタン等のために確保されている場合には、表示の単位は、それらの領域を除く領域に表示される画像として規定される。
本実施の形態における切り替え基準設定部３１は、画像の移動の方向と、画像内における特定の部位が基準の位置（境界）との間で満たす関係とを組み合わせて、判定用の基準を設定する。
【００２５】
図４は、ユーザによる基準の位置（境界）の設定の例を説明する図である。
図４には、図１と対応する部分に対応する符号を付して示している。図４の場合、表示面１１には、円筒形状の本体１０の軸方向と平行に、境界Ｌｒｅｆが設定されている。
図４に示す境界Ｌｒｅｆは、円周方向への移動に対する画像の切り替えの判定に用いられる。
図４では、境界Ｌｒｅｆを与える線分が表示面１１の左側から右側まで（幅方向に）横断的に設定されているが、円周上の位置を与えることができれば良いので、点や記号等によって設定されても良い。
【００２６】
本実施の形態の場合、画像の特定の部分が、予め定めた方向から境界Ｌｒｅｆを越えることを条件に、画像の切り替えが実行される。
従って、境界Ｌｒｅｆは、ユーザによる画像の視認に影響しない位置であることが望ましい。例えば視認される頻度が高い画像の場合には、表示面１１上での位置が調整される機会も他の画像に比べて多くなる。一方で、ユーザが着目している最中に画像の切り替えが実行されたのでは、ユーザの利便性が損なわれてしまう。
このため、境界Ｌｒｅｆは、表示されている画像の内容に応じて設定されることが望ましい。
【００２７】
図４の場合には、指先６により境界Ｌｒｅｆを設定する位置が指定されている。具体的には、天気や歩数が表示されている画像の部分と、日付や時刻が表示されている画像の部分の隙間の位置に、境界Ｌｒｅｆを設定している。ここでの天気、歩数、日付、時刻等のアイコンは、アプリケーションの実行や状態の通知用である。
なお、表示面１１に文書や画像が表示されている場合には、これらの領域を避けるように、境界Ｌｒｅｆを設定することが望ましい。
【００２８】
もっとも、画像の内容によらず、表示面１１の特定の位置に境界Ｌｒｅｆを設定することも可能である。例えば円筒形状の表示面１１であれば、開口側の両端部を軸方向の移動用の境界Ｌｒｅｆに設定してもよい。
また、境界Ｌｒｅｆの候補となる位置が予め用意されている場合には、複数の候補の中から選択的に境界Ｌｒｅｆを設定してもよい。
なお、境界Ｌｒｅｆの表示は、設定の際に限定してもよい。もっとも、設定の際であっても境界Ｌｒｅｆを表示しなくてもよい。
【００２９】
一方で、画像が表示面１１上で移動されると、画像の切り替えが実行される境界Ｌｒｅｆとの位置の関係が分かり難くなりやすい。従って、移動の開始後も、境界Ｌｒｅｆが設定されている位置が分かるように何らかの表示があることが望ましい。例えばＬｒｅｆを破線によって表示してもよいし、画像の内容の確認を邪魔しないようにオブジェクトが表示されていない部位、又は、オブジェクトが少ない部位に表示してもよい。
【００３０】
境界Ｌｒｅｆが設定されると、画像内の特定の部位も決定される。
図５は、境界Ｌｒｅｆと特定の部位との関係を説明する図である。（Ａ）は右方向（反時計回り）への移動に対して設定される特定の部位の例を示し、（Ｂ）は左方向（時計回り）への移動に対して設定される特定の部位の例を示す。
図５の場合、表示面１１の円周方向に沿って文字列「ＡＢＣ…ＹＺ」が表示されており、文字Ａと文字Ｚの中間に境界Ｌｒｅｆが設定されている。
この場合、境界Ｌｒｅｆの右隣りに表示されていた文字Ａが、右方向（反時計回り）への移動に伴う画像の切り替え判定用の部位Ａ１として抽出されている。一方、境界Ｌｒｅｆの左隣りに表示されていた文字Ｚが、左方向（時計回り）への移動に伴う画像の切り替え判定用の部位Ａ２として抽出されている。
【００３１】
図５の場合には、特定の部位を文字として抽出しているが、例えばアイコンやオブジェクトを特定の部位として抽出してもよい。
また、特定の部位は、画像の内容とは無関係に定めてもよい。例えば境界Ｌｒｅｆに対して右側（反時計回り）又は左側（時計回り）にＮ画素（Ｎは０を含まない自然数）分の領域として規定してもよい。境界Ｌｒｅｆに対して右側（反時計回り）か左側（時計回り）かで画素数を変えてもよい。
図６は、実施の形態１で使用される切り替え基準設定部３１（図３参照）によって設定される切り替え基準の一例を説明する図表である。
図６に示す切り替え基準は、表示面１１（図１参照）について設定される境界Ｌｒｅｆの数が１つの場合に用いられる。
【００３２】
基準１と基準２は、右方向（反時計回り）への移動時に用いる画像の切り替えの実行に関する基準であり、基準３と基準４は、左方向（時計回り）への移動時に用いる画像の切り替えの実行に関する基準である。
基準１と基準２の違いは、特定の部位（例えば図５の文字「Ａ」）が境界Ｌｒｅｆを反時計回りに越えたか否かである。
特定の部位が境界Ｌｒｅｆを越えない間（基準１を満たす場合）、画像の切り替えは実行されない。すなわち、現在の画像の表示は維持され、反時計回りに画像が循環（回転）するように表示される。
一方、特定の部位が境界Ｌｒｅｆを越えると（基準２を満たす場合）、画像の切り替えが実行される。本実施の形態では、次の画像に切り替えられる。
【００３３】
基準３と基準４の違いは、特定の部位（例えば図５の文字「Ｚ」）が境界Ｌｒｅｆを時計回りに越えたか否かである。
特定の部位が境界Ｌｒｅｆを越えない間（基準３を満たす場合）、画像の切り替えは実行されない。すなわち、現在の画像の表示は維持され、時計回りに画像が循環（回転）するように表示される。
一方、特定の部位が境界Ｌｒｅｆを越えると（基準４を満たす場合）、画像の切り替えが実行される。本実施の形態では、前の画像に切り替えられる。
【００３４】
図３の説明に戻る。
表示単位管理部３２は、表示中の画像（表示の単位）と、切り替え後に表示される画像（表示の単位）との関係等を管理している。例えば次に表示する画像（表示の単位）、次の次に表示する画像（表示の単位）というように表示の順序に関する関係を管理する。
なお、表示単位管理部３２は、移動の向きに応じて、異なる関係を管理してもよい。例えば移動の方向別に異なる種類の表示の単位を割り当ててもよい。図１の例であれば、端部が存在しない方向（３６０°の回転が可能な方向）への移動の場合と、一対の端部が存在する方向（開口がある方向）への移動の場合とで異なる画像（表示の単位）の集まりを対応付けてもよい。
【００３５】
移動操作受付部３３は、タッチパネル２４（図２参照）に対するユーザの操作のうち移動の指示とみなす操作の受け付けを実行する。
本実施の形態の場合、指先を特定の方向に弾くように移動させる動きも、指先を特定の方向にはらうように移動させる動きも、表示面１１に接触したままスライドさせる動きも移動の指示とみなされる。
移動方向受付部３４は、移動の指示として受け付けた際の操作の方向を移動の方向として受け付ける。図１の例であれば、情報処理装置１を腕５に装着した状態で表示面１１に沿って上方向への移動か、表示面１１に沿って下方向への移動か、右側の開口の方向への移動か、左側の開口の方向への移動か等である。
移動の方向には、斜めの方向への移動があってもよい。斜めの方向への移動は、端部が存在しない方向への移動と一対の端部が存在する方向への移動の２つの成分に分割してもよい。
【００３６】
表示単位切替判定部３５は、特定の方向への移動が画像（表示の単位）の切り替えの基準のいずれに該当するかを判定し、判定の結果を表示切替制御部３６に与える。
表示切替制御部３６は、判定の結果に対応付けられている表示を実行する。ここでの表示には、表示の単位とする画像の切り替えに限らず、表示の単位として表示中の画像の表示面１１（図１参照）内における表示の位置の移動も含まれる。
表示切替制御部３６は、表示面１１に表示されている画像の全部を別の画像に切り替える切替手段の一例である。
【００３７】
＜表示例＞
以下では、前述した機能を用いた画像の移動及び切り替えについて説明する。
＜表示の単位の説明＞
図７は、表示の単位を説明する図である。（Ａ）は情報処理装置１に対するユーザの操作を示し、（Ｂ）は表示の単位としての画像の例である。
図７では、表示面１１の円周面に沿うように右方向（反時計回り）に指先６が動かされている。図７では、指先６の移動の方向を矢印で示している。
図７における動きの方向は円周方向である。このため、表示面１１に表示されている表示の単位としての画像は、指示された距離だけ右方向（反時計回り）に表示の位置を移動する。
【００３８】
図７の場合、表示の単位として、３つの画像を例示している。図７では、表示の単位をページとして管理する。
図７では、基準の位置（境界Ｌｒｅｆ）の位置で表示面１１を切り開いて表示している。このため、（Ｂ）の各時点の表示例では両端に同じ印が描かれている。
ページ１は、円周方向に沿って配置される文字列「ＡＢＣＤＥＦＧＨＩＪＫＬＭＮＯＰ」で構成される。
ページ２は、円周方向に沿って配置される文字列「ＱＲＳＴＵＶＷＸＹＺ０１２」で構成される。
ページ３は、円周方向に沿って配置される文字列「３４５６７８９１０１１１２」で構成される。
現在の表示の単位はページ２である。ページ２に対して前のページはページ１であり、次のページはページ３である。
【００３９】
＜表示例１＞
図８は、実施の形態１における画像の表示の位置の移動の例を説明する図である。（Ａ）は情報処理装置１に対するユーザの操作を示し、（Ｂ）は移動の操作に伴う画像の表示の変遷を示す。
図８の場合も、基準の位置（境界Ｌｒｅｆ）の位置で表示面１１を切り開いて表示している。
時点Ｔ１は、表示の単位としてのページ２が表示されている。この時点は、ユーザによる移動の指示の前である。この場合、左側の基準の位置（境界Ｌｒｅｆ）から右方向（反時計回り）に文字列「ＱＲＳＴＵＶＷＸＹＺ０１２」が配置されている。
時点Ｔ２は、ユーザが右方向（反時計回り）に指先６を動かした後の表示面１１上の文字列の配置を示している。図８の場合、時点Ｔ１に対し、画像の表示の位置が右方向に５文字分移動されている。このため、表示面１１には、左側の基準の位置（境界Ｌｒｅｆ）から右方向に、文字列「ＹＺ０１２ＱＲＳＴＵＶＷＸ」が配置されている。
【００４０】
時点Ｔ３は、更に、ユーザが右方向（反時計回り）に指先６を動かした後の表示面１１上の文字列の配置を示している。図８の場合、時点Ｔ２に対し、画像の表示の位置が右方向に７文字分移動されている。このため、表示面１１には、左側の基準の位置から右方向に文字列「ＲＳＴＵＶＷＸＹＺ０１２Ｑ」が配置されている。
すなわち、時点Ｔ１では、左側の基準の位置（境界Ｌｒｅｆ）から見て右方向（反時計回り）の先頭に位置していた文字「Ｑ」が、時点Ｔ３では最後列に位置している。
この状態で、更に、ユーザが右方向（反時計回り）に指先６を動かすと、特定の部位Ａ１にあたる文字「Ｑ」が境界Ｌｒｅｆを右方向（反時計回り）に越える。
時点Ｔ４は、表示面１１に表示される画像がページ２からページ３に切り替わった後の文字列の配置を表している。
【００４１】
このように、ユーザの操作に伴う右方向（反時計回り）への画像の移動において、特定の部位Ａ１に当たる文字「Ｑ」が境界Ｌｒｅｆを右方向（反時計回り）に越えていない間、表示の単位であるページ２が表示面１１に沿って操作の方向に移動するだけである。しかし、表示の位置が１周すると（すなわち、特定の部位Ａ１に当たる文字「Ｑ」が境界Ｌｒｅｆを右方向（反時計回り）に越えると）、ページ２から次のページ（すなわちページ３）に切り替わる表示が実現される。
【００４２】
＜表示例２＞
図９は、実施の形態１における画像の表示の位置の移動の他の例を説明する図である。（Ａ）は情報処理装置１に対するユーザの操作を示し、（Ｂ）は移動の操作に伴う画像の表示の変遷を示す。
図９の場合も、基準の位置（境界Ｌｒｅｆ）の位置で表示面１１を切り開いて表示している。
【００４３】
時点Ｔ１で表示されている画像は表示例１（図８参照）と同じである。すなわち、表示の単位としてのページ２が表示面１１に表示されている。また、左側の基準の位置から右方向（反時計回り）に文字列「ＱＲＳＴＵＶＷＸＹＺ０１２」が配置されている。
時点Ｔ２は、ユーザが左方向（時計回り）に指先６を動かした後の表示面１１上の文字列の配置を示している。図８の場合、時点Ｔ１に対し、画像の表示の位置が左方向に４文字分移動されている。このため、表示面１１には、左側の基準の位置（境界Ｌｒｅｆ）から右方向に文字列「ＵＶＷＸＹＺ０１２ＱＲＳＴ」が配置されている。
【００４４】
時点Ｔ３は、更に、ユーザが左方向（時計回り）に指先６を動かした後の表示面１１上の文字列の配置を示している。図８の場合、時点Ｔ２に対し、画像の表示の位置が左方向に８文字分移動されている。このため、表示面１１には、左側の基準の位置（境界Ｌｒｅｆ）から右方向に文字列「２ＱＲＳＴＵＶＷＸＹＺ０１」が配置されている。
すなわち、時点Ｔ１では、右側の基準の位置（境界Ｌｒｅｆ）から見て左方向（時計回り）に先頭に位置していた文字２が、時点Ｔ３では最後列に位置している。
この状態で、更に、ユーザが左方向（時計回り）に指先６を動かすと、特定の部位Ａ２に当たる文字「２」が境界Ｌｒｅｆを左方向（時計回り）に越える。
時点Ｔ４は、表示面１１に表示される画像がページ２からページ１に切り替わった後の文字列の配置を表している。
【００４５】
このように、ユーザの操作に伴う左方向（時計回り）への画像の移動において、特定の部位Ａ２に当たる文字「２」が境界Ｌｒｅｆを左方向（時計回り）に越えていない間、表示の単位であるページ２が表示面１１に沿って操作の方向に移動するだけである。しかし、表示の位置が１周すると（すなわち、特定の部位Ａ２に当たる文字「２」が境界Ｌｒｅｆを左方向（時計回り）に越えると）、前のページ（すなわちページ１）に切り替わる表示が実現される。
【００４６】
＜変形例＞
前述の説明では、画像の切り替えの判定に用いる基準の位置（境界Ｌｒｅｆ）を円筒形状の表示面１１の軸方向に対して平行に設定する場合について説明したが、境界Ｌｒｅｆの設定はこれに限らない。
図１０は、境界Ｌｒｅｆの設定の例を示す図である。（Ａ）は表示面１１に対して境界Ｌｒｅｆを斜め方向に設定する例を示し、（Ｂ）は表示面１１上に境界Ｌｒｅｆを曲線により設定する例を示し、（Ｃ）は表示面１１上にジグザグ状に設定する例を示す。
なお、図１０に示す境界Ｌｒｅｆは一例であり、直線や曲線等の組み合わせでもよい。
【００４７】
＜実施の形態２＞
本実施の形態では、移動の指示の方向が円筒形状の表示面１１（図１参照）の軸方向である場合について説明する。
図１１は、実施の形態２における画像の表示の位置の移動の例を説明する図である。（Ａ）は情報処理装置１Ａに対するユーザの操作を示し、（Ｂ）は移動の操作に伴う画像の表示の変遷を示す。
図１１には、図８との対応部分に対応する符号を付して示している。図１１では、表示面１１の軸方向の幅をＬＷで表している。
図１１に示す情報処理装置１Ａのハードウェア上の構成と機能上の構成は、情報処理装置１（図２、図３参照）と同様である。
【００４８】
本実施の形態の場合、移動の方向についての基準の位置（境界）は、表示面１１の外縁を規定する２つの端部のうちのいずれか一方に設定される。
図１１では、表示面１１の下端側を境界Ｌｒｅｆに設定している。勿論、表示面１１の上端側を境界Ｌｒｅｆに設定することも可能である。また、表示面１１の中間（上端と下端の間）の位置に境界Ｌｒｅｆを設定してもよい。
境界Ｌｒｅｆの設定は、ユーザが設定してもよいし、予め設定されていてもよい。
本実施の形態の場合も、移動により端部に達した画像は、表示面１１の外側に消えると同時に他方の端部から出現するように表示される。すなわち、表示面１１に表示される画像の同一性が保たれる循環的な表示を想定する。
図１１では、画像を下端側から上端側に移動する場合について表している。
【００４９】
時点Ｔ１は、表示の単位としてのページ２が表示されている。この時点は、ユーザによる移動の指示の前である。
図１１の場合、下端側（すなわち、境界Ｌｒｅｆ）の直上に文字列「ＱＲＳＴＵＶＷＸＹＺ０１２」が配置されている。
文字列の先頭は、説明の都合上、文字「Ｑ」としている。本実施の形態の場合、下段に位置する文字列「ＱＲＳＴＵＶＷＸＹＺ０１２」が、上向きの移動用の特定の部位Ａ１である。
【００５０】
時点Ｔ２は、ユーザが上方向に指先６を動かした後の表示面１１上の文字列の配置を示している。時点Ｔ２の場合、文字列「ＱＲＳＴＵＶＷＸＹＺ０１２」が表示面１１の中段に移動している。
時点Ｔ３は、ユーザが更に上方向に指先６を動かした後の表示面１１上の文字列の配置を示している。時点Ｔ３の場合、文字列「ＱＲＳＴＵＶＷＸＹＺ０１２」が表示面１１の上段に移動している。
時点Ｔ４は、ユーザが更に上方向に指先６を動かした後の結果として、表示面１１に表示される画像がページ２からページ３に切り替わった状態を表している。
【００５１】
図１２は、実施の形態２で使用される切り替え基準設定部３１（図３参照）によって設定される切り替え基準の一例を説明する図表である。
図１２に示す切り替え基準も、表示面１１（図１１参照）について設定される境界Ｌｒｅｆの数が１つの場合に用いられる。
【００５２】
基準１１と基準１２は、上方向への移動時に用いる画像の切り替えの実行に関する基準であり、基準１３と基準１４は、下方向への移動時に用いる画像の切り替えの実行に関する基準である。
基準１１と基準１２の違いは、特定の部位（図１１の場合は文字列）が境界Ｌｒｅｆを上方向に越えるか否かである。
上方への移動によって上端から消えた特定の部位が下端側から再び出現し、境界Ｌｒｅｆを上方向に越えない間（基準１１を満たす場合）、画像の切り替えは実行されない。すなわち、現在の画像の表示は維持され、上方向に画像が循環（回転）するように表示される。
一方、特定の部位（図１１の場合は文字列）が境界Ｌｒｅｆを上方向に越えると（基準１２を満たす場合）、画像の切り替えが実行される。本実施の形態では、次の画像に切り替えられる。
基準１３と基準１４については後述する。
【００５３】
図１３は、実施の形態２における画像の表示の位置の移動の他の例を説明する図である。（Ａ）は情報処理装置１Ａに対するユーザの操作を示し、（Ｂ）は移動の操作に伴う画像の表示の変遷を示す。
図１３には、図１１との対応部分に対応する符号を付して示している。
図１３では、画像を上端側から下端側に移動する場合について表している。
【００５４】
時点Ｔ１は、表示の単位としてのページ２が表示されている。この時点は、ユーザによる移動の指示の前である。
図１３の場合、上端側の直下に文字列「ＱＲＳＴＵＶＷＸＹＺ０１２」が配置されている。すなわち、表示面１１の上段に文字列が配置されている。
図１３の場合も、文字列の先頭は、説明の都合上、文字「Ｑ」としている。本実施の形態の場合、上段に位置する文字列「ＱＲＳＴＵＶＷＸＹＺ０１２」が、下向きの移動用の特定の部位Ａ２である。
【００５５】
時点Ｔ２は、ユーザが下方向に指先６を動かした後の表示面１１上の文字列の配置を示している。時点Ｔ２の場合、文字列「ＱＲＳＴＵＶＷＸＹＺ０１２」が表示面１１の中段に移動している。
時点Ｔ３は、ユーザが更に下方向に指先６を動かした後の表示面１１上の文字列の配置を示している。時点Ｔ３の場合、文字列「ＱＲＳＴＵＶＷＸＹＺ０１２」が表示面１１の下段に移動している。
時点Ｔ４は、ユーザが更に下方向に指先６を動かした後の結果として、表示面１１に表示される画像がページ２からページ１に切り替わった状態を表している。
【００５６】
図１２の説明に戻る。
この表示で使用される切り替え基準が基準１３及び基準１４である。
基準１３と基準１４の違いは、特定の部位（図１３の場合は文字列）が境界Ｌｒｅｆを下方向に越えるか否かである。
下方向への移動によって特定の部位の全部が境界Ｌｒｅｆを下方向に越えない間（基準１３を満たす場合）、画像の切り替えは実行されない。すなわち、現在の画像の表示は維持され、下方向に画像が循環（回転）するように表示される。
一方、特定の部位（図１３の場合は文字列）の全部が境界Ｌｒｅｆを下方向に越えると（基準１４を満たす場合）、画像の切り替えが実行される。本実施の形態では、前の画像に切り替えられる。
【００５７】
＜実施の形態３＞
ここでは、表示面１１内に境界Ｌｒｅｆを複数設定する場合について説明する。
前述の実施の形態１及び２の場合には、ユーザの指示する方向に表示面１１に表示されている画像の位置が循環することを条件として、表示中の画像の全部を別の画像に切り替えているが、表示面１１の寸法によっては循環に要する移動の距離が長くなる場合が考えられる。
本実施の形態では、移動の方向について一対の境界Ｌｒｅｆを設定し、一方の境界Ｌｒｅｆ１について設定された特定の部位が他方の境界Ｌｒｅｆ２を移動の方向に越えることを条件として、画像の切り替えを実行させる場合について説明する。
本実施の形態の場合には、画像の切り替えが実行されるまでの移動の距離が一対の境界の距離として与えられるため、早期に画像の切り替えを実行できる。
【００５８】
図１４は、実施の形態３における画像の表示の位置の移動の例を説明する図である。（Ａ）は情報処理装置１に対するユーザの操作を示し、（Ｂ）は移動の操作に伴う画像の表示の変遷を示す。
本実施の形態における情報処理装置１のハードウェア上の構成と機能上の構成は、実施の形態１における情報処理装置１（図２、図３参照）と同様である。
このため、図１４には、図８との対応部分に対応する符号を付して示している。
【００５９】
図１４の場合、表示面１１の円周上に２つの境界Ｌｒｅｆ１、Ｌｒｅｆ２が設定されている点で図８と相違する。
境界Ｌｒｅｆ１と境界Ｌｒｅｆ２で挟まれる円周方向の区間は２つ存在するが、本実施の形態では、狭い方の区間に着目する。
もっとも、切り替え基準の判定では、区間の長短を区別する必要はない。
なぜなら、区間の短い方の切り替え基準が、区間の長い方の切り替え基準よりも先に満たされるためである。
【００６０】
時点Ｔ１は、表示の単位としてのページ２が表示されている。この時点は、ユーザによる移動の指示の前である。
図１４の場合、表示面１１の中段に文字列「１２ＱＲＳＴＵＶＷＸＹＺ０」が配置されている。図１４の場合、文字列の先頭は、説明の都合上、文字「１」としている。
本実施の形態の場合、左側に位置する境界Ｌｒｅｆ１（境界１ともいう）に対して右方向（反時計回り）に隣接する文字「Ｒ」が特定の部位Ａ１である。
時点Ｔ２は、ユーザが右方向（反時計回り）に指先６を動かした後の表示面１１上の文字列の配置を示している。図１４の場合、時点Ｔ１に対し、画像の表示の位置が右方向に３文字分移動されている。
【００６１】
時点Ｔ３は、更に、ユーザが右方向（反時計回り）に指先６を動かした後の表示面１１上の文字列の配置を示している。図１４の場合、時点Ｔ２に対し、画像の表示の位置が右方向に更に１文字移動されている。
この状態で、更に、ユーザが右方向（反時計回り）に指先６を動かすと、特定の部位Ａ１にあたる文字「Ｒ」が右側の境界Ｌｒｅｆ２（境界２ともいう）を右方向（反時計回り）に越える。
時点Ｔ４は、表示面１１に表示される画像がページ２からページ３に切り替わった後の文字列の配置を表している。
【００６２】
図１５は、実施の形態３で使用される切り替え基準設定部３１（図３参照）によって設定される切り替え基準の一例を説明する図表である。
基準２１と基準２２は、右方向（反時計回り）への移動時に用いる画像の切り替えの実行に関する基準であり、基準２３と基準２４は、左方向（時計回り）への移動時に用いる画像の切り替えの実行に関する基準である。
基準２１と基準２２の違いは、境界１の右隣（反時計回りに隣）に表示されている特定の部位Ａ１（図１４では文字「Ｒ」）が境界２を反時計回りに越えるか否かである。
特定の部位Ａ１が境界２を越えない間（基準２１を満たす場合）、画像の切り替えは実行されない。すなわち、現在の画像の表示は維持され、反時計回りに画像が循環（回転）するように表示される。
一方、特定の部位Ａ１が境界２を越えると（基準２２を満たす場合）、画像の切り替えが実行される。本実施の形態では、次の画像に切り替えられる。
基準２３と基準２４については後述する。
【００６３】
図１６は、実施の形態３における画像の表示の位置の移動の他の例を説明する図である。（Ａ）は情報処理装置１に対するユーザの操作を示し、（Ｂ）は移動の操作に伴う画像の表示の変遷を示す。
図１６には、図１４との対応部分に対応する符号を付して示している。
図１６では、画像を左方向（時計回り）に移動する場合について表している。
【００６４】
時点Ｔ１は、表示の単位としてのページ２が表示されている。この時点は、ユーザによる移動の指示の前である。
図１６の場合も、表示面１１の中段に文字列「ＱＲＳＴＵＶＷＸＹＺ０１２」が配置されている。図１６の場合も、文字列の先頭は、説明の都合上、文字「Ｑ」としている。
本実施の形態の場合、右側に位置する境界Ｌｒｅｆ２（境界２）に対して左方向（時計回り）に隣接する文字「Ｘ」が特定の部位Ａ２である。
時点Ｔ２は、ユーザが左方向（時計回り）に指先６を動かした後の表示面１１上の文字列の配置を示している。図１６の場合、時点Ｔ１に対し、画像の表示の位置が左方向に２文字移動されている。
【００６５】
時点Ｔ３は、更に、ユーザが左方向（時計回り）に指先６を動かした後の表示面１１上の文字列の配置を示している。図１６の場合、時点Ｔ２に対し、画像の表示の位置が左方向に更に２文字移動されている。
この状態で、更に、ユーザが左方向（時計回り）に指先６を動かすと、特定の部位Ａ２にあたる文字Ｗが左側の境界Ｌｒｅｆ１（境界１）を左方向（時計回り）に越える。
時点Ｔ４は、表示面１１に表示される画像がページ２からページ１に切り替わった後の文字列の配置を表している。
【００６６】
図１５の説明に戻る。
この表示で使用される切り替え基準が基準２３及び基準２４である。
基準２３と基準２４の違いは、境界２の左隣（時計回りに隣）に表示されている特定の部位Ａ２（図１６では文字「Ｗ」）が境界１を時計回りに越えるか否かである。
特定の部位Ａ２が境界１を越えない間（基準２３を満たす場合）、画像の切り替えは実行されない。すなわち、現在の画像の表示は維持され、時計回りに画像が循環（回転）するように表示される。
一方、特定の部位Ａ２が境界１を越えると（基準２４を満たす場合）、画像の切り替えが実行される。本実施の形態では、前の画像に切り替えられる。
【００６７】
＜実施の形態４＞
本実施の形態では、表示面１１の一部分だけが画像の同一性を保ったままユーザが指示する方向への循環的な移動又は回転に使用され、他の領域の画像の表示には影響しない場合について説明する。
図１７は、実施の形態４における画像の表示の位置の移動の例を説明する図である。（Ａ）〜（Ｃ）はいずれも移動の操作に伴う画像の表示の変遷を示す。
図１７には、図１６との対応部分に対応する符号を付して示している。
すなわち、図１７の場合も、円周方向に沿って一対の境界Ｌｒｅｆ１、Ｌｒｅｆ２が設定されている点で実施の形態３と共通する。
【００６８】
ただし、本実施の形態の場合には、一対の境界Ｌｒｅｆ１及びＬｒｅｆ２で挟まれた範囲のうち狭い方に表示されている画像を表示の単位として扱う。すなわち、表示面１１の一部分を、同一性を保ったまま画像を循環的に移動又は回転させる領域Ｓ１として扱う。
時点Ｔ１では、表示面１１に沿って円周方向にアルファベットの文字列「ＡＢＣＤ…ＹＺ」が表示されている。
時点Ｔ１の場合、文字Ａと文字Ｚの間に１つ目の境界Ｌｒｅｆ１が設定され、文字Ｄと文字Ｅの間に２つ目の境界Ｌｒｅｆ２が設定されている。
【００６９】
時点Ｔ２は、一対の境界Ｌｒｅｆ１及びＬｒｅｆ２で挟まれた領域Ｓ１に表示されている画像に対し、ユーザが指先６により、左方向（時計回り）への移動を指示した場合を表している。
この場合、境界Ｌｒｅｆ２（境界２）に対して左方向（時計回り）に隣接する文字Ｄが特定の部位Ａ２となる。
時点Ｔ２に示すように、本実施の形態の場合には、領域Ｓ１に表示されている文字Ａ、Ｂ、Ｃ、Ｄの４文字だけが領域Ｓ１内で循環的に左方向（時計回り）に移動し、領域Ｓ１の外側に表示されている文字（例えば文字Ｙ、Ｚ、Ｅ、Ｆ）については表示の位置に移動がない。
なお、時点Ｔ２において、特定の部位Ａ２は他方の境界Ｌｒｅｆ１（境界１）に対して右隣の位置まで移動している。
【００７０】
この状態で、更に、ユーザが左方向（時計回り）に指先６を動かすと、特定の部位Ａ２にあたる文字Ｄが左側の境界Ｌｒｅｆ１（境界１）を越えるように画面から消え、同時に消えた部分が領域Ｓ１の右側の境界Ｌｒｅｆ２（境界２）の位置から出現する。
時点Ｔ３は、特定の部位Ａ２の全部が移動の方向に位置する境界Ｌｒｅｆ１（境界１）を越えたタイミングで、表示面１１に表示される画像の全部が記号で構成される画像に切り替わった状態を表している。
【００７１】
時点Ｔ３では、領域Ｓ１だけ、白抜きの二重丸、白抜きの三角形、塗りつぶしのひし形が配列された画像に切り替わっている。
なお、図１７では、表示面１１のうち領域Ｓ１を除く部分の表示については言及していないが、境界Ｌｒｅｆ１（境界１）と境界Ｌｒｅｆ２（境界２）を領域の端部として、いわゆるスクロール表示を行ってもよい。勿論、領域Ｓ１内の表示と同じく、同一性を保ったまま循環的に表示の位置を移動させ、切り替え基準を満たすことを条件に表示中の画像の全部を別の画像に切り替えてもよい。
【００７２】
＜実施の形態５＞
本実施の形態では、表示面１１の複数の領域ごとに境界Ｌｒｅｆを設定する例について説明する。
図１８は、実施の形態５に係る境界Ｌｒｅｆの設定例を説明する図である。
図１８に示す情報処理装置１のハードウェア上の構成と機能上の構成は、情報処理装置１（図２、図３参照）と同様である。
図１８では、円筒形状の表示面１１を上段側の部分表示面１１Ａと下段側の部分表示面１１Ｂで管理されている。すなわち、図１８では、表示面１１上に表示の単位に対応する画像が２つ存在し、表示の単位とする画像毎に境界Ｌｒｅｆが設定されている。
上段側の部分表示面１１Ａに表示される画像１と下段側の部分表示面１１Ｂに表示される画像２とが異なれば、画像の切り替えを実行したい位置も異なり得るためである。
【００７３】
図１８は、上段側の部分表示面１１Ａに設定された境界Ｌｒｅｆ１１の位置と、下段側の部分表示面１１Ｂに設定された境界Ｌｒｅｆ２１の位置とが円周方向について異なる位置である場合を表している。
このため、上段側の部分表示面１１Ａと下段側の部分表示面１１Ｂでは、それぞれに表示されている画像の同一性を保ったままユーザの指示する方向に表示の位置が回転（循環）され、特定の部位Ａ１１、Ａ１２、Ａ２１、Ａ２２がそれぞれ対応する方向に境界を越えることで画像の全体が別の画像に切り替えられる表示が実現される。
なお、図１８では、表示面１１を上段側の部分表示面１１Ａと下段側の部分表示面１１Ｂとの２つに分割しているが、３つ以上の領域に分割されてもよい。
また、分割の位置はユーザが指定してもよいが、表示面１１に表示される画像のレイアウト情報に基づいて情報処理装置１が分割の位置を設定してもよい。
【００７４】
図１９は、実施の形態５に係る境界Ｌｒｅｆの他の設定例を説明する図である。
図１９には、図１８との対応部分に対応する符号を付して示している。
図１９の場合、上段側の部分表示面１１Ａに設定された境界Ｌｒｅｆ１１の円周上の位置と、下段側の部分表示面１１Ｂに設定された境界Ｌｒｅｆ２１の円周上の位置とが同じ場合を表している。
図１９の場合には、画像の切り替えが実行される位置が表示面１１の上段側と下段側とで同じであるが、ユーザの指示による画像の移動は上段側と下段側とで独立に実行される。
【００７５】
図２０は、実施の形態５に係る境界Ｌｒｅｆの他の設定例を説明する図である。
図２０には、図１８及び図１９との対応部分に対応する符号を付して示している。
図２０の例は、実施の形態３の場合（図１４、図１６参照）のように、上段側の部分表示面１１Ａと下段側の部分表示面１１Ｂとで画像の切り替えに必要な移動の距離が異なる場合について表している。
このため、上段側の部分表示面１１Ａには、円周上に２つの境界Ｌｒｅｆ１１、Ｌｒｅｆ１２が設定され、下段側の部分表示面１１Ｂには、円周上に２つの境界Ｌｒｅｆ２１、Ｌｒｅｆ２２が設定されている。
なお、実施の形態４の場合（図１７参照）のように、上段側と下段側のそれぞれについて、画像の同一性を保ったままユーザが指示する方向への循環的な移動又は回転に使用される領域を複数設定することもできる。
【００７６】
＜実施の形態６＞
前述の実施の形態においては、情報処理装置１（図１参照）の本体１０（図１参照）が円筒形状を有し、表示面１１（図１参照）が円周面に沿って３６０°連続している場合について説明したが、情報処理装置１の本体１０の形状は円筒形状に限らない。
図２１は、情報処理装置１Ｂの本体１０Ｂが直方体形状であり、その外周面に４つの表示面１１が環状に配置されている例を表している。（Ａ）は情報処理装置１Ｂを斜め上方から見た外観であり、（Ｂ）は情報処理装置１Ｂを上方から見た外観である。
【００７７】
この種の情報処理装置１Ｂには、例えばタブレット端末、スマートフォン、いわゆるモニタ等がある。情報処理装置１Ｂの筐体（すなわち、表示面１１）は、１又は複数の形状に変形可能でもよい。換言すると、情報処理装置１Ｂは、いわゆるフレキシブルディスプレイでもよい。
例えば情報処理装置１Ｂが帯形状のいわゆるフレキシブルディスプレイの場合、情報処理装置１Ｂを円筒形状に丸めて使用してもよい。
本実施の形態の場合、平面型の４つの表示面１１が環状に配列されている点を除き、実質的には、実施の形態１における単一の表示面１１（図１参照）と同様の使い方が可能である。すなわち、単一の表示面１１（図１参照）に表示されている画像を、４つの表示面１１に分割して表示する使い方が可能である。
もっとも、ユーザの選択により、４つの表示面１１をそれぞれ独立した表示デバイスとして使用し、他の表示面１１と連動して画像の表示が変化しないようにしてもよい。もっとも、他の表示面１１の画像の表示と連動しないのは一部だけとしてもよい。
なお、図２１では、紙面に対して正面に位置する表示面１１の左端の部分に境界Ｌｒｅｆが設定された例を表している。
【００７８】
＜実施の形態７＞
前述の実施の形態では、一方向について３６０°連続した画像の表示が可能な形態を例示したが、ここでは任意の方向について３６０°連続した画像の表示が可能な場合を説明する。
図２２は、情報処理装置１Ｃの本体１０Ｃが球形状であり、その表面に表示面１１Ｃが配置されている例を表している。
【００７９】
球形状の表示面１１Ｃの場合、ユーザは任意の方向に表示面１１Ｃに表示されている画像を移動させることが可能である。
図２２は、ある経線を境界Ｌｒｅｆとして設定する例を表している。なお、緯度を境界Ｌｒｅｆとして用いてもよい。また、緯度や経度の向きとは無関係に境界Ｌｒｅｆを設定してもよい。
【００８０】
図２２に示す情報処理装置１Ｃは、ガラスやプラスチック樹脂などを成形した透明度の高い球面形状の表示面１１Ｃと、画像処理装置４０とを有している。
ここでの画像処理装置４０は、プログラム（基本ソフトウェアを含む）の実行を通じて装置全体を制御するＣＰＵと、ＢＩＯＳや基本ソフトウェア等のプログラムを記憶するＲＯＭと、プログラムの実行領域として使用されるＲＡＭと、外部機器との通信に使用される通信モジュールと、を有している。
画像処理装置４０は、通信モジュールを通じ、表示面１１Ｃに画像を表示する。もっとも、画像処理装置４０は、表示面１１Ｃの内部などに設けられていてもよい。
【００８１】
球面形状の表示面１１Ｃに画像を表示する手法には、例えば球面の内側から画像を投影する手法、球面の外側から画像を投影する手法、球面の全体に配置したＬＥＤを点灯させて画像を表示する手法、ＬＥＤを配列した環状の枠体を球体の内部で高速に回転させ、光の残像を視認させる手法を用いてもよい。
図２２に示す表示面１１Ｃには、ユーザの指先６（図８参照）が接した位置を検知する機能も設けられている。もっとも、ユーザの指先６の動きは、表示面１１Ｃを撮像するカメラの画像から認識してもよい。
図２２に示すように、表示面１１Ｃと画像処理装置４０とが分離された構成の情報処理装置１Ｃは、情報処理システムの一例である。
【００８２】
なお、球面形状の表示面１１Ｃの場合にも、実施の形態５の場合（図１８〜図２０参照）のように複数の領域ごとに境界Ｌｒｅｆを設定してもよい。
図２３は、球面形状の表示面１１Ｃを上半球側の部分表示面１１Ａと下半球側の部分表示面１１Ｂとに分割する例を表している。
図２３では、上半球側の部分表示面１１Ａの境界Ｌｒｅｆ１１が設定された位置と下半球側の部分表示面１１Ｂの境界Ｌｒｅｆ２１が設定された位置とが異なる場合を表している。
【００８３】
＜実施の形態８＞
前述の実施の形態では、ユーザの指示による画像の移動中に特定の部位が予め定めた方向から境界Ｌｒｅｆを越えると、表示中の画像から別の画像に即座に切り替わる例を説明した。
前述の実施の形態の場合、ユーザは、表示面１１（図１参照）に表示されている画像を構成する要素の表示の位置から画像の切り替えが近いことを推測するしかない。
本実施の形態では、画像の切り替えが近いことをユーザに知らせる表示の手法の一例を説明する。
【００８４】
図２４は、画像の切り替えに伴って表示中の画像が徐々にフェードアウトし（薄くなり）、切り替え先の画像が徐々にフェードインする（濃くなる）例を説明する図である。
なお、図２４は、指先６（図８参照）を右方向（反時計回り）に動かして表示面１１内における画像の表示の位置を回転させる例を表している。
図２４における画像の切り替えは、ページ１からページ２への切り替えである。
時点Ｔ１は、ページ１からページ２への切り替え位置が近づいている状態を表している。図２４の場合、左側の基準の位置（境界Ｌｒｅｆ）から右方向（反時計回り）に文字列「ＢＣＤＥＦＧＨＩＪＫＬＭＮＯＰＡ」が表示されている。この表示は、残り１文字分の右方向（反時計回り）への移動で、画像の切り替わりが実行される場合に現れる。
【００８５】
時点Ｔ２では、ページ１の画像の内容が時点Ｔ１よりも更に右方向に移動するとともに、画像のフェードアウトが始まっている。このため、画像の濃度（又は輝度）が低下している。
さらに、ユーザの移動の指示が継続した時点Ｔ３では、ページ１の表示がなくなり、ページ２のフェードインが開始している。時点Ｔ２と時点Ｔ３との間では、ページ１とページ２が混在する画像を表示してもよい。
この時点Ｔ１から時点Ｔ４までの画像の濃度（又は輝度）の変化からも、ユーザは、画像の切り替えが近づいていることを知ることができる。
【００８６】
＜実施の形態９＞
前述の実施の形態では、表示面がいずれも物理的に存在していたが、表示面は空気中に光学的に形成されてもよい。
図２５は、空気中に空中画像１１０を形成する情報処理装置１Ｄの概略構成を説明する図である。情報処理装置１Ｄは、情報処理システムの一例でもある。（Ａ）はユーザに最も近い位置の空中画像１１０に対して画像の表示の位置の移動を指示する操作の様子を示し、（Ｂ）は画像の切り替えが実行された後の画像の表示を示す。
本実施の形態において、空中画像１１０とは、物体からの反射光と同等の光の状態を再現するように空気中に形成される像をいう。
空中画像１１０は、空気中に浮かぶように形成されるので、人１２０は、空中画像１１０を通り抜けることも可能である。
【００８７】
空中画像１１０には、例えば案内用の画面や広告用の画面が表示される。また例えば空中画像１１０には、人１２０の操作に応じて表示の内容が変化する操作用の画面が表示される。言うまでもなく、これらの画面は、表示の一例である。
なお、空中画像１１０には、静止画像だけでなく、動画像が表示されることもある。
また、各実施の形態では、矩形形状の全体を空中画像１１０として表現するが、空中画像１１０の外縁を規定する形状は矩形に限らず、任意でよい。例えば物体（オブジェクト）の像が形成される空間を、空中画像１１０が形成される空間の全てとしてもよい。例えば操作用のボタンの像、人の像、動物の像、製品の像、果物の像なども、ここでの空中画像１１０の一例である。図２５では、空中画像１１０が平面形状であるが、曲面、球体、立方体などの立体的な形状でもよい。
【００８８】
空中画像１１０は、単独で配置される場合もあるが、１つの空間内に複数を配置する場合もある。図２５では、平面形状の３つの空中画像１１０Ａ、１１０Ｂ、１１０Ｃが、人１２０に対して奥行き方向に順番に配置されている。
図２５の場合、空中画像１１０Ａは、「ＡＡＡＡ／ＡＡＡＡ／ＡＡＡＡ／ＡＡＡＡ」で構成される。ここでの斜め線（スラッシュ）は、改行を表している。空中画像１１０Ｂ及び１１０Ｃについても同じである。なお、空中画像１１０Ｂは、「ＢＢＢＢ／ＢＢＢＢ／ＢＢＢＢ／ＢＢＢＢ」で構成され、空中画像１１０Ｃは、「ＣＣＣＣ／ＣＣＣＣ／ＣＣＣＣ／ＣＣＣＣ」で構成される。
【００８９】
図２５の例では、空中画像１１０Ａ、１１０Ｂ、１１０Ｃが、隣り合うどうしで、予め定めた距離を隔てて対面するように配置されている。
このような配置は、例えば空中画像１１０Ａに１ページ目、空中画像１１０Ｂに２ページ目、空中画像１１０Ｃに３ページ目を表示する場合に用いられる。
図２５の場合、ユーザの移動の指示に伴い次ページの画像に切り替えが実行される例を表している。このため、最前列に位置する空中画像１１０Ａに表示されていた１ページ目は最後列に移動し、代わりに、最前列に位置する空中画像１１０Ａには２ページ目が表示されている。すなわち、空中画像１１０Ａ、１１０Ｂ、１１０Ｃに表示される画像の内容が、奥側から１ページずつ前方に移動している。ここでの１ページ目の最後列への移動は、奥側への移動の一例である。
【００９０】
なお、ユーザによる移動の指示の方向が逆方向の場合には、最後列に位置する空中画像１１０Ｃに表示されていた３ページ目の画像が最前列に位置する空中画像１１０Ａに表示される。
この場合、最前列に位置する空中画像１１０Ａに表示されていた１ページ目は１つ奥側の空中画像１１０Ｂへと移動し、空中画像１１０Ｂに表示されていた２ページ目は最後列の空中画像１１０Ｃへと移動する。すなわち、１ページずつ奥側に移動する。ここでの１ページ目の空中画像１１０Ｂへの移動も、奥側への移動の一例である。
もっとも、複数の空中画像１１０を、人１２０から見て奥行き方向に配置する例は、文書を構成する個別のページを配列する場合に限らない。例えば図形の配列や層構造を有する表現にも使用される。
【００９１】
図２５の場合、１ページ目である「ＡＡＡＡ／ＡＡＡＡ／ＡＡＡＡ／ＡＡＡＡ」と２ページ目である「ＢＢＢＢ／ＢＢＢＢ／ＢＢＢＢ／ＢＢＢＢ」において境界Ｌｒｅｆが設定される位置や移動の向きが異なる場合を示している。
図２５の場合、１ページ目の境界Ｌｒｅｆ１は縦方向に並行に設定され、２ページ目の境界Ｌｒｅｆ２は水平方向に平行に設定されている。このため、１ページ目の画像は、水平方向について循環的に画像が１周すると次のページ（２ページ目）又は前のページ（３ページ目）に移動するのに対し、２ページ目の画像は、垂直方向について循環的に画像が１周すると次のページ（３ページ目）又は前のページ（１ページ目）に移動する。
【００９２】
図２５に示す情報処理装置１Ｄは、空気中に空中画像１１０を形成する空中画像形成装置１０１と、空中画像形成装置１０１による空中画像１１０の形成を制御する像制御装置１０２と、人１２０の空中画像１１０に対する操作を撮像の対象とする不図示の撮像カメラと、人１２０の音声を電気信号に変換する不図示のマイクロフォンとを有している。
図２５の場合、空中画像形成装置１０１が空中画像１１０Ａ、１１０Ｂ、１１０Ｃを形成しているが、それぞれ専用の空中画像形成装置１０１を別に用意してもよい。
空中画像形成装置１０１は像形成手段の一例である。
【００９３】
像制御装置１０２は、人１２０の操作の内容を特定し、空中画像１１０Ａ、１１０Ｂ及び１１０Ｃの形成を制御する。ここで、像制御装置１０２は、撮像カメラから入力される画像を認識する技術（画像認識）やマイクロフォンから入力される音声を認識する技術（音声認識）を使用して、操作の内容を特定する。
例えば像制御装置１０２は、人１２０の手や指の動きを解析して、操作の対象とする空中画像の特定や特定された空中画像に対する操作の内容を特定する。
もっとも、像制御装置１０２は、端末（例えばリモートコントローラ）から通知される信号の受信を通じて、操作の内容を特定してもよい。
ここでの像制御装置１０２は、制御手段の一例である。なお、像制御装置１０２は、情報処理装置の一例でもある。
【００９４】
不図示の撮像カメラは、例えば人の手や指先の動きを撮像できる位置に配置される。もっとも、撮像カメラは、人１２０の顔を撮像の範囲に含めてもよい。顔が撮像されていれば、表情や視線の方向から操作の内容を特定することもできる。
なお、撮像カメラの台数は１台でも複数台でもよい。複数台の撮像カメラは、取り付け位置や撮像の方向が異なっていてもよい。取り付け位置や撮像の方向が異なることで、死角が少なくなり、人１２０の操作の検知や特定の制度を高めることが可能である。なお、撮像カメラに代えて、各種のセンサを使用してもよい。例えばユーザの手や指が赤外光を遮る位置や動きの方向を検知するセンサを用いてもよい。撮像カメラやセンサは、検知手段の一例である。
不図示のマイクロフォンは、人１２０が音声により、操作の内容を指示する場合に使用される。マイクロフォンも、検知手段の一例である。
【００９５】
以下では、空中画像１１０の形成原理について説明する。
図２６は、表示デバイス１４１から出力される光を専用の光学プレート１４２を透過させることで空中画像１１０を形成する空中画像形成装置１０１Ａの原理図である。（Ａ）は各部材と空中画像１１０との位置関係を示し、（Ｂ）は光学プレート１４２の断面構造の一部を示す。ここでの表示デバイス１４１と光学プレート１４２は、光学部品の一例である。
光学プレート１４２は、壁面を鏡として使用する短冊状のガラス１４２Ａを配列したプレートと、ガラス１４２Ａに対して直交する向きに短冊状のガラス１４２Ｂを配列したプレートを上下に重ねた構造を有する。
光学プレート１４２は、表示デバイス１４１から出力される光を短冊状のガラス１４２Ａ及び１４２Ｂで２回反射して空気中で結像させることで、表示デバイス１４１に表示されている画像を空気中に再現する。なお、表示デバイス１４１と光学プレート１４２の距離と、光学プレート１４２と空中画像１１０の距離は同じである。また、表示デバイス１４１に表示される画像の寸法と空中画像１１０の寸法は同じである。
【００９６】
図２７は、空中画像１１０として３次元像を形成する空中画像形成装置１０１Ｂの原理図である。空中画像形成装置１０１Ｂは、実際の物体１４３の表面で反射された光をリング型の光学プレート１４２を２回透過させることで３次元像（空中画像１１０）を空気中に再現する。なお、光学プレート１４２を直列に配置する必要はない。
【００９７】
図２８は、２面コーナーリフレクタを構成する微小な四角い穴１４４Ａを平面内に等間隔に配列した構造のマイクロミラーアレイ１４４を用いて空中画像１１０を形成する空中画像形成装置１０１Ｃの原理図である。（Ａ）は各部材と空中画像１１０との位置関係を示し、（Ｂ）はマイクロミラーアレイ１４４の一部分を拡大した図である。１つの穴１４４Ａは、例えば１００μｍ角で形成される。ここでのマイクロミラーアレイ１４４は、光学部品の一例である。
【００９８】
図２９は、ビームスプリッタ１４６と再帰反射シート１４７を使用する空中画像形成装置１０１Ｄの原理図である。ここで、ビームスプリッタ１４６は、表示デバイス１４５の表示面に対して４５°の角度で配置されている。また、再帰反射シート１４７は、ビームスプリッタ１４６による表示画像の反射方向に、表示デバイス１４５の表示面に対して９０°の角度に配置されている。表示デバイス１４５、ビームスプリッタ１４６、再帰反射シート１４７は、光学部品の一例である。
空中画像形成装置１０１Ｄの場合、表示デバイス１４５から出力される光は、ビームスプリッタ１４６によって再帰反射シート１４７の方向に反射され、次に再帰反射シート１４７で再帰反射され、ビームスプリッタ１４６を透過して空中で結像される。光が結像する位置に空中画像１１０が形成される。
【００９９】
図３０は、空中画像１１０をプラズマ発光体の集合として形成する空中画像形成装置１０１Ｅの原理図である。
空中画像形成装置１０１Ｅの場合、赤外パルスレーザ１４８がパルス状のレーザ光を出力し、ＸＹＺスキャナ１４９がパルス状のレーザ光を空気中で集光する。このとき、焦点近傍の気体が瞬間的にプラズマ化し、発光する。パルス周波数は、例えば１００Ｈｚ以下であり、パルス発光時間は、例えばナノ秒オーダである。ここでの赤外パルスレーザ１４８とＸＹＺスキャナ１４９は、光学部品の一例である。
【０１００】
＜実施の形態１０＞
以下では、表示面１１が、少なくとも１方向について３６０°連続している場合における画像の印刷を支援する技術について説明する。
昨今における表示技術の進歩に伴い、例えば円筒形状の表示デバイスや球面形状の表示デバイスにより、３６０°連続した画像の表示が実用化されている。また、３６０°連続した画像を撮像できるカメラも存在する。一方で、３６０°連続した画像を用紙に印刷する技術は実用化されていない。
そこで、本実施の形態では、少なくとも一方向について環状に連続する表示面を有する表示デバイスに画像が環状に表示されている場合における印刷用の端部を設定するための技術を提案する。
【０１０１】
図３１は、実施の形態１０における印刷領域の設定の手法を説明する図である。（Ａ）は円筒型の表示面１１に対する印刷領域の設定例を示し、（Ｂ）は印刷結果を示す。
図３１における情報処理装置１Ｅは、実施の形態１における情報処理装置１（図１参照）と同じである。
本実施の形態の場合も、位置の指定のために、円筒形状の表示面１１に沿うように指先６を移動させる点で実施の形態１と共通する。
【０１０２】
ただし、本実施の形態では、指先６の移動を、印刷用の端部の指定の入力に使用する。図３１においては、指先６の縦方向への移動により端部１５２が設定されている。
なお、指先６の移動は必ずしも直線とならないし、上端と下端とで円周上の位置が異なる可能性もある。そこで、本実施の形態における情報処理装置１には、印刷用の端部１５２が表示面に対して直交するように補正する機能が設けられている。
図３１では、４列のアイコン１５１を２分する位置に端部１５２が設定されている。また、図３１の例では、端部１５２から反時計回りに印刷が実行されることが予め定められている。このため、図３１では、端部１５２の指定だけで（Ｂ）に示す印刷結果が得られている。
【０１０３】
図３２は、プログラムの実行を通じてＣＰＵ２１（図２参照）が実現する機能の一例を説明する図である。本実施の形態の場合、実現される機能は、印刷用の端部の受け付けと印刷範囲の設定である。
このため、ＣＰＵ２１は、印刷を開始する端部の位置を検知する印刷開始端部検知部１６０と、印刷を終了する端部の位置を検知する印刷終了端部検知部１６１と、検知された端部からいずれの方向に印刷を実行するかの指定を検知する印刷方向検知部１６２と、検知された情報から印刷範囲を設定する印刷範囲設定部１６３として機能する。
ここで、印刷開始端部検知部１６０と印刷終了端部検知部１６１は、印刷用の端部の指定が１箇所の場合には、円周上の同じ場所を設定する。一方で、印刷用の端部の指定が２箇所の場合には、最初に指定された位置を印刷が開始される端部とし、２番目に指定された位置を印刷が終了する端部とする。
【０１０４】
印刷方向検知部１６２は、時計回りに印刷するか反時計回りに印刷するかが予め定められていない場合に実行される機能であり、ユーザの指先６（図２９参照）が時計回りの方向に移動したか反時計回りの方向に移動したかを検知する。
印刷範囲設定部１６３は、端部の指定が１箇所の場合には、検知された端部から予め定めた又は検知された方向に印刷の範囲を設定する。一方、端部の指定が２箇所の場合、印刷範囲設定部１６３は、最初に検知された端部から検知された方向に２番目に検知された端部までの範囲を印刷の範囲に設定する。なお、印刷領域とする外縁の全てが指定された場合、印刷範囲設定部１６３は、指定された部分を印刷領域とする。
本実施の形態における印刷開始端部検知部１６０と、印刷終了端部検知部１６１と、印刷方向検知部１６２と、印刷範囲設定部１６３は、いずれか単独について、又は、組み合わせについて、印刷の機能に関する受信手段として機能する。
【０１０５】
以下では、図３３〜図３７を使用して、印刷の実行例を説明する。
図３３は、１つの端部１５２が指定され、かつ、印刷の向きが左方向（時計回り）の場合を説明する図である。（Ａ）はユーザの操作を示し、（Ｂ）は印刷結果を示す。
図３３の例では、端部１５２から時計回りに画像の情報が読み出され、用紙上に印刷される。
勿論、指先６が端部１５２から右方向（反時計回り）に動かされた場合には、図３１と同じ印刷結果が得られる。
【０１０６】
図３４は、２つの端部１５２及び１５３が指定され、かつ、印刷の向きが右方向（反時計回り）の場合を説明する図である。（Ａ）はユーザの操作を示し、（Ｂ）は印刷結果を示す。
ここで、印刷の向きの指定（図中では矢印の方向）は、端部１５２及び１５３の指定前に実行してもよいし、端部１５２と端部１５３の設定の間に実行してもよいし、端部１５２及び１５３の指定後に実行してもよい。
図３４に示す操作を用いれば、３６０°に亘って表示されている画像のうち任意の部分だけを印刷することができる。
【０１０７】
図３５は、印刷の向きが表示されている画像の内容に応じて定まる例を示す図である。（Ａ）は文字が縦書きの場合の印刷の向きを示し、（Ｂ）は文字が横書きの場合の印刷の向きを示す。
漢字や平仮名のように縦方向に文字列が記述された画像の場合には、印刷の方向として時計回りが設定される。一方、ローマ字や数字のように横方向に文字が記述された画像の場合には、印刷の方向として反時計回りが設定される。
【０１０８】
なお、表示面１１は３６０°連続している場合でも、物理的な形状から領域の区別が可能な場合には、物理的な領域の指定により印刷の範囲を設定してもよい。
図３６は、表示面の物理的な形状から表示上の領域の区別が可能な場合の印刷例を説明する図である。（Ａ）は印刷の単位として管理される領域の例を示し、（Ｂ）は全ての領域が印刷の対象として選択された場合の印刷結果を示す。
図３６に示す情報処理装置１の場合、本体１０の形状がほぼ平板形状である。このため、表示面１１は、表面、右側面、裏面、左側面の４つの領域として管理される。図３６の例では、印刷の対象として４つの領域の全てが指定されているので、４つの領域の全てが対応する位置に印刷されている。
【０１０９】
印刷の対象とする領域は、例えば指で各領域内の特定の部位に触れることで行われる。スマートフォンやタブレットのように手に持って使用する端末では、保持のために表示面１１に触れている部分と印刷の対象を指定するために触れられた位置の区別が難しい。
そこで、例えば４つの表示面のうち予め定めた部位（例えば下端側の付近）が触れられた場合には、印刷の対象としての指定として受け付けてもよい。
【０１１０】
図３７は、表示面の物理的な形状から表示上の領域の区別が可能な場合の他の印刷例を説明する図である。（Ａ）は印刷の単位として管理される領域の例を示し、（Ｂ）は１つの領域が印刷の対象として選択された場合の印刷結果を示す。
図３７の場合には、表示面１１について定められた管理上の４つの領域（表面、右側面、裏面、左側面）のうち表面が印刷の対象に指定されている。このため、表面画像だけが印刷されている。
【０１１１】
＜まとめ＞
このように、実施の形態７には、少なくとも１つの方向について環状である表示面１１の全周に亘って画像が表示されている場合に、印刷の対象とする領域の端部を与える位置を受け付ける受付手段を有する情報処理装置１が記載されている。
なお、ここでの受付手段には、環状の表示面１１に表示されている画像を、端部として受け付けた位置から時計回りに印刷するか反時計回りに印刷するかを受け付ける機能が設けられている。
また、ここでの受付手段には、文字列が記述されている方向に応じて印刷の方向を決定する機能が設けられている。
これらの機能により、第３の実施の形態における情報処理装置１は、少なくとも１つの方向について環状である表示面１１の全周に亘って画像が表示されている場合でも、ユーザの望むレイアウトの印刷結果を得ることができる。
【０１１２】
＜他の実施形態＞
以上、本発明の実施の形態について説明したが、本発明の技術的範囲は上述の実施の形態に記載の範囲に限定されない。上述の実施の形態に、種々の変更又は改良を加えたものも、本発明の技術的範囲に含まれることは、特許請求の範囲の記載から明らかである。
例えば前述の実施の形態では、表示面と機能を実行するＣＰＵとが１つの装置に設けられている場合が含まれるが、表示面とＣＰＵとを分離した情報処理システムとして実現してもよい。
【符号の説明】
【０１１３】
１、１Ａ、１Ｂ、１Ｃ、１Ｄ、１Ｅ…情報処理装置、５…腕、６…指先、１０、１０Ｂ、１０Ｃ…本体、１１、１１Ｃ…表示面、１１Ａ、１１Ｂ…部分表示面、３１…切り替え基準設定部、３２…表示単位管理部、３３…移動操作受付部、３４…移動方向受付部、３５…表示単位切替判定部、３６…表示切替制御部、４０…画像処理装置、１０１、１０１Ａ、１０１Ｂ、１０１Ｃ、１０１Ｄ、１０１Ｅ…空中画像形成装置、１０２…像制御装置、１１０、１１０Ａ、１１０Ｂ、１１０Ｃ…空中画像、１２０…人、１５１…アイコン、１５２、１５３…端部、１６０…印刷開始端部検知部、１６１…印刷終了端部検知部、１６２…印刷方向検知部、１６３…印刷範囲設定部
【図１】
2019197192.tif 000003
【図２】
2019197192.tif 000004
【図３】
2019197192.tif 000005
【図４】
2019197192.tif 000006
【図５】
2019197192.tif 000007
【図６】
2019197192.tif 000008
【図７】
2019197192.tif 000009
【図８】
2019197192.tif 000010
【図９】
2019197192.tif 000011
【図１０】
2019197192.tif 000012
【図１１】
2019197192.tif 000013
【図１２】
2019197192.tif 000014
【図１３】
2019197192.tif 000015
【図１４】
2019197192.tif 000016
【図１５】
2019197192.tif 000017
【図１６】
2019197192.tif 000018
【図１７】
2019197192.tif 000019
【図１８】
2019197192.tif 000020
【図１９】
2019197192.tif 000021
【図２０】
2019197192.tif 000022
【図２１】
2019197192.tif 000023
【図２２】
2019197192.tif 000024
【図２３】
2019197192.tif 000025
【図２４】
2019197192.tif 000026
【図２５】
2019197192.tif 000027
【図２６】
2019197192.tif 000028
【図２７】
2019197192.tif 000029
【図２８】
2019197192.tif 000030
【図２９】
2019197192.tif 000031
【図３０】
2019197192.tif 000032
【図３１】
2019197192.tif 000033
【図３２】
2019197192.tif 000034
【図３３】
2019197192.tif 000035
【図３４】
2019197192.tif 000036
【図３５】
2019197192.tif 000037
【図３６】
2019197192.tif 000038
【図３７】
2019197192.tif 000039